(57)【要約】【課題】  既製のＣＲ媒体貸機からの遊技媒体の貸出要求信号（ＣＲ通信）を媒体貸出制御手段に送信することで、ＣＲ媒体貸機を新規に交換することなくまた改造する必要もなく極めて簡単に遊技媒体の貸出数を制御することができ、しかもＣＲ媒体貸機と遊技機が直接接続されていない為、ＣＲ媒体貸機に加えられた不正行為が遊技機に波及することがなく、不正防止の観点からも優れた遊技媒体貸出システムを提供する。【解決手段】  遊技機とＣＲ媒体貸機と現金媒体貸機とを備えた遊技システムにおける遊技媒体貸出システムでにおいて、前記ＣＲ媒体貸機からの媒体貸出要求信号を前記現金媒体貸機の媒体貸出制御手段に送信し、該送信結果に基づいて、該媒体貸出制御手段を制御し、遊技媒体を現金媒体貸機より貸出したものである。【選択図】  図２
2005237931.tif 000002
【特許請求の範囲】
【請求項１】
遊技機とＣＲ媒体貸機と現金媒体貸機とを備えた遊技システムにおける遊技媒体貸出システムにおいて、
前記ＣＲ媒体貸機からの媒体貸出要求信号を前記現金媒体貸機の媒体貸出制御手段に送信し、該送信結果に基づいて、該媒体貸出制御手段を制御し、遊技媒体を現金媒体貸機より貸出した
ことを特徴とする遊技媒体貸出システム。
【請求項２】
前記媒体貸出制御手段は、ＣＲ媒体貸機または現金媒体貸機に投入されたカードまたは金額を算出する算出手段と、
前記算出手段の結果に基づいて、前記遊技媒体の貸出数を制御する貸出制御部を備えたことを特徴とする請求項１項記載の遊技媒体貸出システム。
【請求項３】
前記算出手段は、ＣＲ媒体貸機または現金媒体貸機に投入されたカードまたは金額に対し間接税を減じた額を算出し、
該算出結果と遊技媒体単価とを対比し、遊技媒体の貸出数を決定した
ことを特徴とする請求項１項または２項記載の遊技媒体貸出システム。
【請求項４】
前記算出手段の算出結果に生じた端数を切り捨てとして、前記遊技媒体の貸出数を決定した
ことを特徴とする請求項１項乃至３項のいずれかに記載の遊技媒体貸出システム。
【発明の詳細な説明】
【技術分野】
【０００１】  本発明は、遊技媒体の貸出数を制御するための遊技媒体貸出システムに関する。
【背景技術】
【０００２】  従来、遊技機は、サンドと呼ばれる台間媒体貸機と並んで設置されることが殆どである。台間媒体貸機は、現金媒体貸機とＣＲ媒体貸機に大別される。現金媒体貸機は、遊技者による現金の投入を受け付けて、金額に応じた数量の貸玉を払い出す。一方、ＣＲ媒体貸機は、遊技者によるＣＲカード（プリペイドカード）の投入を受け付ける。このＣＲカードを使用するＣＲ遊技システムの場合、ＣＲ媒体貸機とＣＲ遊技機が、通信により一体となって動作する。そして、ＣＲ遊技機の媒体貸出ボタンが押されると、ＣＲ遊技機から貸玉が払い出される。このようなＣＲ媒体貸機とＣＲ遊技機とよりなるＣＲ遊技システム（例えば、特許文献１  特開２００２−３６９９６２参照）において、遊技媒体の貸出数の制御は、ＣＲ媒体貸機とＣＲ遊技機に設けた遊技媒体を払い出す媒体払出手段とを接続し、ＣＲ媒体貸機からの貸出要求信号（ＣＲ通信）に基づき、賞球兼玉貸制御部を制御し、払出機構を介して遊技媒体を貸出するとともに賞球の払い出しをおこなっていた。そして、該賞球兼玉貸制御部で遊技媒体の払出数（貸出数）を制御していた。また、一方、現金媒体貸機にける遊技媒体の貸出数を制御する技術としては、間接税に相当する遊技媒体を考慮して遊技媒体の払出数（貸出数）を制御する遊技媒体貸機が開示されている。（例えば、特許文献２  特開平１１−２６７３４３参照）【０００３】
【特許文献１】  特開２００２−３６９９６２号公報（特許請求の範囲、図２、図３）
【特許文献２】  特開平１１−２６７３４３号公報（特許請求の範囲、図１、図３）
【発明の開示】
【発明が解決しようとする課題】
【０００４】  しかしながら、前述のＣＲ遊技システムにおいて遊技媒体の貸出数を制御手段は、現在、全国で広く採用されている現行のＣＲ遊技システム（パチンコ機においては、賞球の払出数は固定されている。例えば、賞球の数は５個または１５個に固定されている。このため、ＣＲ遊技機の媒体払出手段を介して遊技媒体を貸出す場合、賞球の数に左右され、任意の数を貸出すことが出来なかった。）のＣＲ媒体貸機に採用する場合には、ＣＲ遊技機の制御手段を新規に設定するか、少なくとも変更する必要があり、現行のＣＲ遊技システムに簡単に採用することが困難であった。また、後者の現金媒体貸機で貸出し数を制御する場合には、制御手段の一部を変更することによって、遊技媒体の貸出数を比較的簡単に制御することができるが、ＣＲ媒体貸機とＣＲ遊技機とよりなるＣＲ遊技システムに対応するには遊技機自体の変更が必要となり実際上対応が困難であった。【０００５】  本発明は、上記の従来技術が有する問題を解決するためになされたものであり、その目的は、現金媒体貸機に媒体貸出制御手段を設けるとともに、該媒体貸出制御手段とＣＲ媒体貸機とを接続することによりＣＲ媒体貸機からの遊技媒体の貸出要求信号（ＣＲ通信）に基づいて遊技者に現金媒体貸機を介して遊技媒体を貸出すことが可能な遊技媒体貸出システムを提供するものである。
【課題を解決するための手段】
【０００６】  上記課題を解決するため、本発明においては、遊技機とＣＲ媒体貸機と現金媒体貸機とを備えた遊技システムにおける遊技媒体貸出システムでにおいて、前記ＣＲ媒体貸機からの媒体貸出要求信号を前記現金媒体貸機の媒体貸出制御手段に送信し、該送信結果に基づいて、該媒体貸出制御手段を制御し、遊技媒体を現金媒体貸機より貸出したものである。【０００７】  このことにより、現金媒体貸機に設けた媒体貸出制御手段と既製のＣＲ媒体貸機とを接続することにより既製のＣＲ媒体貸機からの遊技媒体の貸出要求信号（ＣＲ通信）を媒体貸出制御手段に送信することで、ＣＲ媒体貸機を新規に交換することなくまた改造する必要もなく極めて簡単に遊技媒体の貸出数を制御することができ、しかもＣＲ媒体貸機と遊技機が直接接続されていない為、ＣＲ媒体貸機に加えられた不正行為が遊技機に波及することがなく、不正防止の観点からも優れている。【０００８】  次の発明は、前記媒体貸出制御手段は、ＣＲ媒体貸機または現金媒体貸機に投入されたカードまたは金額を算出する算出手段と、前記算出手段の結果に基づいて、前記遊技媒体の貸出数を制御する貸出制御部を備えたものである。【０００９】  このことにより、ＣＲ媒体貸機やＣＲ遊技機の設定を変更することなく、現金媒体貸機に設けた媒体貸出制御手段の変更により、投入金額と貸出数の関係を任意に設定することができるため、容易に遊技店の事情による遊技媒体の単価の変更や税制等に対応することができる。【００１０】  次の発明は、前記算出手段は、ＣＲ媒体貸機または現金媒体貸機に投入されたカードまたは金額に対し間接税を減じた額を算出し、該算出結果と遊技媒体単価とを対比し、遊技媒体の貸出数を決定したものである。【００１１】  このことにより、予め、税制（間接税）を考慮して算出した遊技媒体を貸出すことにより、透明性に優れた遊技媒体貸出システムを提供することができる。【００１２】  次の発明は、前記算出手段の算出結果に生じた端数を切り捨てとして、前記遊技媒体の貸出数を決定したものである。【００１３】このことにより、遊技者に特段の損失を被らせることなく、かつ遊技者に利益をもたらした感覚を与え、より遊技を楽しませることができる。
【発明の効果】
【００１４】  以上のように、本発明によれば、現金媒体貸機に設けた媒体貸出制御手段と既製のＣＲ媒体貸機とを接続することにより既製のＣＲ媒体貸機からの遊技媒体の貸出要求信号（ＣＲ通信）を媒体貸出制御手段に送信することで、ＣＲ媒体貸機を新規に交換することなくまた改造する必要もなく極めて簡単に遊技媒体の貸出数を制御することができ、しかもＣＲ媒体貸機と遊技機が直接接続されていない為、ＣＲ媒体貸機に加えられた不正行為が遊技機に波及することがなく、不正防止の観点からも優れている遊技媒体貸出システムを提供するものである。
【発明を実施するための最良の形態】
【００１５】    以下、本発明を実施するための最良の形態を、図面に基づいて説明する。図１は、本発明の遊技媒体貸出システムを実施した売上管理システム図、図２は、本発明の遊技媒体貸出システムを示した正面図、図３は、遊技媒体貸出システムの貸出ステップを示したフローチャートである。【００１６】  本発明の遊技媒体貸出システム１００を図１に示すような売上管理システムＳに実施した例を用いて説明する。【００１７】  この売上管理システムＳは、ホールがホールシステムＳ１で集計されたデータを管理するとともに、売上の公正さを維持するために、そのデータを第三者管理機関Ｓ２に送信して第三者管理するシステムとして構築されている。【００１８】  ホールシステムＳ１は、複数の遊技システム１を並設して構成された遊技機島２と、この島２を管理する島管理ユニット３と、該遊技機島２を数列集中管理するホールコンピュータ４と、前述の遊技システム１を各々島管理ユニット３に接続するための島中継ユニット５より構築されている。また、各々の島管理ユニット３には、遊技媒体（図示しない）を計数する計数機６が接続され、遊技機１０に投入された売上と賞品と交換した遊技媒体の数を比較管理している。尚、本図では、６台の遊技システム１（パチンコ機）を並設した一列の島について図示して説明するが、遊技システムの数、島の列数を限定するものではなく、また、遊技システム１に用いられる遊技機もパチンコ機に限定されることなくスロットマシンについても同様に扱うことができる。【００１９】  遊技システム１は、図２に示すように、遊技機１０（実施例ではパチンコ機）と、この遊技機１０に隣設された現金媒体貸機２０と、ＣＲ（カードリーダ）媒体貸機３０とより構成されている。尚、２７は現金媒体貸機２０の紙幣・コインの投入口、２６は遊技媒体の排出ノズル、３６はＣＲ（カードリーダ）媒体貸機３０のカード挿入孔である。そして、本発明の遊技媒体貸出システム１００は、現金媒体貸機２０とＣＲ（カードリーダ）媒体貸機３０との間の構築され、現金媒体貸機２０に供給される貸出用の遊技媒体（図示しない）を制御するものである。【００２０】  以下、遊技媒体貸出システム１００について、図２並びに図３のフローチャートを用いて詳述する。尚、本遊技媒体貸出システム１００に用いられる遊技機１０は、特にＣＲ（カードリーダ）媒体貸機３０と直接電気的に接続される必要がないため、現金媒体貸機２０と組み合わされて遊技システムを構築する公知の遊技機を用いている。また、この遊技機１の賞球制御信号１２は、媒体貸出制御手段２４を配設した制御ボックスを介して島中継ユニット５に接続されているが、直接、島中継ユニット５に接続しても良い。【００２１】  現金媒体貸機２０は、内部に公知の投入現金（紙幣・コイン）を確認するための投入確認手段２１と、投入現金（紙幣・コイン）の真贋と金額を識別するための識別手段２２と、遊技者から要求された遊技媒体の貸出要求を制御する貸出要求手段２３と、媒体貸出制御手段２４（この媒体貸出制御手段２４は、遊技媒体の玉単価、税制等の固有の条件を考慮して遊技媒体の貸出数を決定する算出手段２４１（図２では、消費税換算手段）と遊技媒体を貸出する貸��制御部２４２とより構成されている。）を備えている。そして、媒体貸出制御手段２４によってカウントされたデータ類は、ホールシステムＳ１を介して第三者機関Ｓ２に送信され、適正に管理される。尚、貸出された遊技媒体は、排出ノズル２６から遊技機１の受皿１１内に供給される。【００２２】  ＣＲ媒体貸機３０は、内部に公知の挿入カードを確認するための挿入確認手段３１と、挿入カードの真贋と金額を識別するための識別手段３２と遊技者から要求された遊技媒体の貸出要求を制御する貸出要求手段３３を備えている。そして、識別手段３２によって適正と判定されたカード情報は、貸出要求信号３４（ＣＲ信号）として現金媒体貸機２０内の媒体貸出制御手段２４に設けられた算出手段２４１にインプットされる。ここで、現金媒体貸機２０と同様に遊技媒体の貸出数が算出され、現金貸出機２０の排出ノズル２６から遊技機１の受皿１１内に供給される。【００２３】  次に、算出手段２４１、例えば、消費税対応の算出手段は、紙幣・コイン・カードを投入した後、遊技者が要求した貸出要求金額をＡ、消費税をＢ、玉単価をＣとすると、貸出数Ｘは、Ａ＊（１−Ｂ）／Ｃで算出される。尚、端数は、切り捨てとする。この算出された玉数が遊技者に貸出される。【００２４】  このような、遊技媒体貸出システム１において、現金貸出機１０の投入口２７から遊技者が現金を投入した場合には、先ず、投入確認手段２１により現金の投入を確認し、現金を識別手段２２の移送する。そして、識別手段２２で現金の真贋、金額を識別し、不正な現金は排出手段２５から排出される。次に、遊技者が貸出要求手段２３を操作すると、媒体貸出制御手段２４の算出手段２４１で消費税相当を減額し、玉単価で割った分（端数は切り捨て）の玉数を算出し、貸出制御部２４２から相当数を排出する。この排出された遊技媒体は、排出ノズル２６から遊技機１０の受皿１１に供給される。尚、算出されたデータは、ホールシステムＳ１を経由して第三者機関Ｓ２に送信される。【００２５】    次に、遊技媒体貸出システム１のＣＲ媒体貸機３０にカードを挿入した場合には、先ず、投入確認手段３１によりカードの挿入を確認し、カードを識別手段３２の移送する。そして、識別手段３２でカードの真贋、金額を識別し、不正なカードは排出手段３５から排出される。次に、遊技者が貸出要求手段３３を操作すると、前述のカードの金額データと貸出要求データとを貸出要求信号３４（ＣＲ信号）として現金媒体貸機２０に設けた算出手段２４１に送信し、現金媒体貸機２０と同様に貸出制御部２４２から相当数を排出する。この排出された遊技媒体は、排出ノズル２６から遊技機１０の受皿１１に供給される。尚、算出されたデータは、ホールシステムＳ１を経由して第三者機関Ｓ２に送信される。【００２６】    このように、本発明の遊技媒体貸出システム１は、特に、遊技機１０の制御手段に関連することなく、遊技者の要求に応じて、現金媒体貸機２０を介して遊技媒体を遊技者に貸出することができる。尚、この実施例では、既製のＲＣ媒体貸機を使用しているが、現金媒体貸機２０にＣＲ媒体貸機としてカード識別機を組合せることも可能である。この場合には、既製の現金媒体貸機２０をＲＣ媒体貸機兼用に改造することになる。
【図面の簡単な説明】
【００２７】
【図１】  本発明の遊技媒体貸出システムを実施した売上管理システム図である。
【図２】  本発明の遊技媒体貸出システムを示した正面図である。
【図３】  本発明の遊技媒体貸出システムの貸出ステップを示したフローチャートである。
【符号の説明】
【００２８】  １００  遊技媒体貸出システム
１  遊技システム
２  島
３  島管理ユニット
４  ホールコンピュータ
５  島中継ユニット
６  計数機
１０  遊技機
１１  受皿
１２  賞球制御信号
２０  現金媒体貸機
２１  投入確認手段
２２  識別手段（紙幣・コイン）
２３  貸出要求手段
２４  貸出制御手段
２４１  算出手段
２４２  貸出制御部
２５  排出手段
２６  排出ノズル
２７  投入口
３０  ＣＲ媒体貸機
３１  カード挿入確認手段
３２  識別手段（ＣＲ）
３３  貸出要求手段
３４  貸出要求信号（ＣＲ信号）
３５  排出手段
３６  カード挿入口
Ｓ  売上管理システム
Ｓ１  ホールシステム
Ｓ２  第三者機関
【図１】
2005237931.tif 000003
【図２】
2005237931.tif 000004
【図３】
2005237931.tif 000005